(57)【要約】      （修正有）【課題】キャリアボードの支持に適応する吸着試験装置を提供する。【解決手段】支持台と導電性部品とシーリングリングと電気プローブとを含む。支持台は上面と底面と経路とを有する。導電性部品はプレート及び複数の弾性アームを含む。プレートは経路に配置され、経路を吸着領域及び収容領域に分割するために支持台に組み込まれるものであり、吸着領域及び収容領域はプレートにより隔離される。弾性アームはプレートを貫通している。シーリングリングは上面に配置され吸着領域を囲む。シーリングリングはキャリアボードの支持に適応する。弾性アームはキャリアボードと電気的に接続するために吸着領域に位置する第１の端部を有する。電気プローブは経路に位置する。電気プローブは本体及び複数のプローブヘッドを有する。本体は支持台に固定される。弾性アームのそれぞれは複数のプローブヘッドと電気的に接続するために収容領域に位置する第２の端部を有する。【選択図】なし【特許請求の範囲】
【請求項１】
上面と、前記上面に対向する底面と、前記上面から前記底面まで貫通する経路とを有する支持台と、
プレート及び複数の弾性アームを備える導電性部品であって、前記プレートは、前記経路に配置され、前記経路を吸着領域及び収容領域に分割するために前記支持台に組み込まれるものであり、前記吸着領域及び前記収容領域は、前記プレートにより隔離され、前記複数の弾性アームは導電性を有し前記プレートを貫通している、導電性部品と、
前記支持台の前記上面に配置され、前記吸着領域を囲む第１シーリングリングであって、前記第１シーリングリングは、前記キャリアボードの支持に適応し、前記複数の弾性アームのそれぞれは、前記吸着領域に位置し、前記キャリアボードと電気的に接続するための第１の端部を有する、第１シーリングリングと、
前記経路に位置する電気プローブであって、前記電気プローブは本体及び複数のプローブヘッドを有し、前記本体は前記支持台に固定され、前記複数の弾性アームのそれぞれは、前記収容領域に位置し、前記複数のプローブヘッドと電気的に接続するための第２の端部を有する、電気プローブと、を有するキャリアボードの支持に適応する吸着試験装置であって、
前記支持台は、環状シート及び環状突起を備え、前記環状シートは内側表面及び組立スロットを有し、前記内側表面は前記経路を形成し、前記組立スロットは前記内側表面に配置され、
前記支持台は、さらに、組立ブロックを備え、
前記組立ブロックは前記組立スロットに組み込まれ、
前記導電性部品の前記プレートの一部は前記環状突起と前記組立ブロックとの間に押しつぶされる、キャリアボードの支持に適応する吸着試験装置。
【請求項２】
前記環状突起と前記プレートとの間に押しつぶされる、第２シーリングリングをさらに備える、請求項１に記載の吸着試験装置。
【請求項３】
前記環状突起は環状溝をさらに備え、前記第２シーリングリングは前記環状溝に配置される、請求項２に記載の吸着試験装置。
【請求項４】
前記組立ブロックは前記環状突起及び前記電気プローブの間に位置する、請求項１に記載の吸着試験装置。
【請求項５】
前記電気プローブからみて外方に向く前記環状突起の表面は、前記支持台の前記上面と同一平面上にある、請求項４に記載の吸着試験装置。
【請求項６】
前記環状突起は前記組立ブロック及び前記電気プローブの間に位置する、請求項１に記載の吸着試験装置。
【発明の詳細な説明】
【技術分野】
【０００１】
本開示は、試験装置、より詳細には、吸着試験装置（ａｂｓｏｒｐｔｉｏｎ  ｔｅｓｔｉｎｇ  ａｐｐａｒａｔｕｓ）に関する。
【背景技術】
【０００２】
技術の進歩により、半導体部品の動作は向上し、多様な機能を実行できるようになった。半導体部品が機能し動作することを保証するために、半導体部品は積荷の前に試験される。
【０００３】
試験過程の１つで、半導体部品は、試験用のたくさんの回路基板及びたくさんのポゴピンが配置された支持台の上に載置される。支持台の上のキャリアボードは、半導体部品に電気的に接続するために用いられる。半導体部品の試験をする前にキャリアボードを支持台に取り付け、回路基板及び半導体部品がキャリアボードを通じて互いに電気的に接続されるようにする。概して、キャリアボードは、キャリアボード及びポゴピンの間の電気的接続を保証するために、真空吸着方法（ｖａｃｕｕｍ  ａｂｓｏｒｐｔｉｏｎ  ｍａｎｎｅｒ）で支持台に固定される。
【０００４】
関連する技術では、キャリアボード及びポゴピンを有するシートの間に真空領域が配置されるので、真空領域の真空特性はシート及びポゴピンの組み立て品質に大きく関連する。それゆえ、試験の前に、全てのポゴピンの気密試験を行う必要があり、費用や時間を要していた。
【発明の概要】
【発明が解決しようとする課題】
【０００５】
本開示は、上述した課題を解決することが可能な吸着試験装置を提供する。
【課題を解決するための手段】
【０００６】
本開示の一実施形態は、キャリアボードの支持に適応する吸着試験装置を提供する。吸着試験装置は、支持台と、導電性部品と、第１シーリングリングと、電気プローブと、を含む。支持台は、上面と、底面と、経路とを有する。底面は、上面に離隔して面する。経路は、上面から底面まで貫通する。導電性部品は、プレート及び複数の弾性アームを含む。プレートは、経路に配置され、経路を吸着領域（ａｂｓｏｒｐｔｉｏｎ  ａｒｅａ）及び収容領域に分割するために支持台に組み込まれるものである。弾性アームはプレートを貫通している。第１シーリングリングは、上面に配置され、吸着領域を囲む。第１シーリングリングは、キャリアボードを配置するためのものである。導電性部品のそれぞれは、キャリアボードと電気的に接続するために吸着領域に位置する第１の端部を有する。電気プローブは、経路に位置する。電気プローブは本体及び複数のプローブヘッドを有する。本体は支持台に固定される。弾性アームのそれぞれは、複数のプローブヘッドと電気的に接続するために収容領域に位置する第２の端部を有する。
【０００７】
上述した吸着試験装置によると、導電性の部品のプレートが、経路を、真空にされる吸着領域と、電気プローブを収容するための収容領域とに分割するので、電気プローブは真空にされる領域、例えば、吸着領域から隔離される。それゆえ、真空特性は、シート及び電気プローブの組み立て性能によって影響を受けない。言い換えれば、電気プローブは気密試験を受ける必要が無く、費用及び試験時間の両方を減少させることができる。
【図面の簡単な説明】
【０００８】
本開示は以下の詳細な説明及び共に提供される図面によりさらに充分に理解されるだろう。図面は、一例を説明するのみであり、本開示を限定することを意図したものではない。
【図１】本開示の一実施形態に係る吸着試験装置の断面図である。
【図２】図１の吸着試験装置の分解立体図である。
【図３】図１の吸着試験装置の部分拡大図である。
【図４】本開示の他の実施形態に係る吸着試験装置の部分拡大図である。
【発明を実施するための形態】
【０００９】
下記の詳細な説明では、説明の目的で、開示された実施形態の充分な理解を提供するために多数の具体的詳細が説明される。しかし、１つ又はそれ以上の実施形態はこれらの具体的詳細によらず実現されてもよいことは明らかである。他の例では、周知の構造や装置は図面を簡略化するために概略的に示される。
【００１０】
図１乃至図３を参照すると、図１は、本開示の一実施形態に係る吸着試験装置の断面図である。図２は、図１の吸着試験装置の分解立体図である。図３は、図１の吸着試験装置の部分拡大図である。
【００１１】
本実施形態では、吸着試験装置１０が提供される。吸着試験装置１０は、キャリアボード２０の支持に適応する。吸着試験装置１０は、支持台１００と、導電性部品２００と、第１シーリングリング３００と、電気プローブ４００と、を含む。
【００１２】
支持台１００は、環状シート１１０及び環状突起１２０を含む。環状シート１１０は、上面１１１と、底面１１２と、経路１１３と、経路１１３を形成する内側表面１１４とを有する。経路１１３は、上面１１１から底面１１２まで貫通する。環状突起１２０は、内側表面１１４から突出する。
【００１３】
また、電気プローブ４００からみて外方に向く環状突起１２０の表面は、上面１１１と同一平面上にあるが、本開示はこれに限られない。他の実施形態では、電気プローブ４００からみて外方に向く環状突起１２０の表面は、上面１１１と同一平面上でなくてもよい。
【００１４】
導電性部品２００は、プレート２１０及び複数の弾性アーム２２０を含む。プレート２１０は、経路１１３に配置され、支持台１００に組み込まれる。プレート２１０は、経路１１３を吸着領域Ａ１及び収容領域Ａ２に分割し、それらを互いに隔離させる。したがって、収容領域Ａ２から吸着領域Ａ１へ空気が流れることが防止される。弾性アーム２２０は、プレート２１０を貫通している。弾性アーム２２０のそれぞれは、互いにの反対側に位置する第１の端部２２１及び第２の端部２２２を有する。第１の端部２２１は吸着領域Ａ１に配置され、第２の端部２２２は収容領域Ａ２に配置される。
【００１５】
本実施形態で、環状シート１１０は組立スロット１１５を有する。組立スロット１１５は内側表面１１４に位置し、環状突起１２０及び底面１１２の間に配置される。支持台１００はさらに組立ブロック１３０を含み、組立ブロック１３０は、組立スロット１１５に取り外し可能に組み込まれる。環状シート１１０、環状突起１２０及び組立ブロック１３０は共に埋め込みスロット１４０を形成し、プレート２１０の一部が埋め込みスロット１４０に埋め込まることで、吸着領域Ａ１の気密性が向上する。しかしながら、本開示はこれに限られない。他の実施形態では、プレート２１０は、他の手段で支持台に組み付けられてもよい。
【００１６】
本実施形態で、吸着試験装置１０はさらに第２シーリングリング５００を含む。環状突起１２０はさらに環状溝１２１を有する。第２シーリングリング５００は、環状溝１２１に配置され、吸着領域Ａ１の気密性を向上させるために、環状突起１２０とプレート２１０との間に押しつぶされる。
【００１７】
前述の実施形態で、環状突起１２０は第２シーリングリング５００を配置するための環状溝１２１を有すると説明したが、本開示はこれに限られない。他の実施形態では、環状突起は環状溝１２１を有さなくてもよい。
【００１８】
第１シーリングリング３００は上面１１１に配置され、吸着領域Ａ１を囲む。第１シーリングリング３００は、キャリアボード２０の支持に適応し、弾性アーム２２０の第１の端部２２１は、各々キャリアボード２０の回路に電気的に接続される。
【００１９】
電気プローブ４００は、経路１１３の収容領域Ａ２に位置する。電気プローブ４００は、本体４１０及び複数のプローブヘッド４２０を含む。本体４１０は支持台１００に固定される。プローブヘッド４２０は、各々弾性アーム２２０の第２の端部２２２に電気的に接続される。本実施形態で、プローブヘッド４２０は、電気プローブ４００の製造上の困難性を減少させるために有益な立体形状であり、電気プローブ４００の製造品質を向上させることができる。
【００２０】
本実施形態で、真空にされる吸着領域Ａ１及び電気プローブ４００を収容するための収容領域Ａ２は、プレート２１０によって互いに隔離される。したがって、吸着領域Ａ１の真空性能は、電気プローブ４００の組み立て品質によって影響を受けないが、プレート２１０及び支持台１００の間の気密性により関連する。したがって、気密性試験はもはや必要なくなり、費用及び試験時間の両方が減少される。
【００２１】
前述の実施形態で、組立ブロック１３０は環状突起１２０及び電気プローブ４００の間に位置するが、本開示はこれに限られない。図４を参照してほしい。図４は、本開示の他の実施形態に係る吸着試験装置の部分拡大図である。
【００２２】
本実施形態で、環状突起１２０は、組立ブロック１３０及び電気プローブ４００の間に位置し、支持台１００の上から導電性部品２００を組み立てるために有益な構成になっている。
【００２３】
上述の吸着試験装置によると、導電性部品のプレートが、経路を、真空にされる吸着領域と、電気プローブを収容するための収容領域とに分割するので、電気プローブは真空にされる領域、例えば、吸着領域から隔離される。それゆえ、真空特性は、シート及び電気プローブの組み立て性能によって影響を受けない。言い換えれば、電気プローブは気密試験を受ける必要が無く、費用及び試験時間の両方が減少する。
【００２４】
実施形態は、本開示の主要な点及び実際的応用を最も良く説明するために選択されて説明され、それにより当業者は予期された特定の使用に適した様々な変更と共に本開示及び様々な実施形態を最も有効に使用することが可能になる。本開示の範囲は特許請求の範囲及びそれらと等価なものによって規定されることを意図している。
【図１】
2018109627.tif 000002
【図２】
2018109627.tif 000003
【図３】
2018109627.tif 000004
【図４】
2018109627.tif 000005
【外国語明細書】
2018109627000001.pdf